(57)【要約】【課題】    収納部の機能を有した付箋紙保持装置を提供する。  【解決手段】    付箋紙保持装置Ｓは、中空部を有するように筒状に巻かれた付箋紙Ｒと、立設する第１の脚部１と、立設する第２の脚部２と、第１の脚部１に取り付けられ、第２の脚部２に向かって張り出す第１の筒状部材４と、第２の脚部２に取り付けられ、第１の脚部１に向かって張り出すと共に、第１の筒状部材４に着脱自在に係合する第２の筒状部材５と、第１の筒状部材４に第２の筒状部材５を係合させて、第１の筒状部材４及び第２の筒状部材５の外側で付箋紙Ｒを支持し、第１の筒状部材４及び第２の筒状部材５の内側の空所に小物３を収納する収納部６とするものである。【選択図】図２
0003149841.tif 000002
【実用新案登録請求の範囲】
【請求項１】
中空部を有するように筒状に巻かれた付箋紙と、
立設する第１の脚部と、
この第１の脚部に対向すると共に、立設する第２の脚部と、
前記第１の脚部に取り付けられ、前記第２の脚部に向かって張り出す第１の筒状部材と、
前記第２の脚部に取り付けられ、前記第１の脚部に向かって張り出すと共に、前記第１の筒状部材に着脱自在に係合する第２の筒状部材と、
前記第１の筒状部材に前記第２の筒状部材を係合させて、前記第１の筒状部材及び前記第２の筒状部材の外側で前記付箋紙を支持し、前記第１の筒状部材及び前記第２の筒状部材の内側の空所に小物を収納する収納部とする
ことを特徴とする付箋紙保持装置。
【請求項２】
第１の脚部の立設面に平坦な平坦面が、第２の脚部の立設面に平坦な平坦面が、それぞれ形成され、
前記第１の脚部又は前記第２の脚部の平坦面に１ヶ月又は複数月の暦が印刷されたシート状部材が貼り付けられ、
収納部には、未使用の複数枚の１ヶ月又は複数月の暦が印刷されたシート状部材が収納されている
ことを特徴とする請求項１記載の付箋紙保持装置。
【請求項３】
第１の脚部の立設面に平坦な平坦面が、第２の脚部の立設面に平坦な平坦面が、それぞれ形成され、
前記第１の脚部又は前記第２の脚部の平坦面に暦、時刻表、電話番号の内の何れか一つを記載した表示物が取り付けられている
ことを特徴とする請求項１記載の付箋紙保持装置。
【請求項４】
第１の脚部に取り付けられると共に、前記第１の脚部から第２の脚部に向かうように設けられ、端部が前記第２の脚部に当接し、最下縁部が全幅に亘って鋭利に形成された切断部と、
前記第１の脚部又は前記第２の脚部に取り付けられ、前記切断部より上にあって、付箋紙を前記切断部に案内する案内部材とを備えている
ことを特徴とする請求項１記載の付箋紙保持装置。
【考案の詳細な説明】
【技術分野】
【０００１】
本考案は、付箋紙保持装置に係り、特に、収納部の機能を有した付箋紙保持装置に関する。
【背景技術】
【０００２】
従来、中空部を有するように筒状に巻かれた付箋紙を保持し、使用したい長さで切断することができる付箋紙保持装置がある。
しかしながら、この付箋紙保持装置は、付箋紙を保持する機能と、使用したい長さで切断することができる機能とを、それぞれ有するものの、使用勝手の点で改善の余地があるという問題点があった。
【考案の開示】
【考案が解決しようとする課題】
【０００３】
本考案は、上述した問題点を考慮してなされたもので、使用勝手の点の改善を図った付箋紙保持装置を提供することを目的としている。
【課題を解決するための手段】
【０００４】
前記した目的を達成するための本考案の付箋紙保持装置は、中空部を有するように筒状に巻かれた付箋紙と、立設する第１の脚部と、この第１の脚部に対向すると共に、立設する第２の脚部と、前記第１の脚部に取り付けられ、前記第２の脚部に向かって張り出す第１の筒状部材と、前記第２の脚部に取り付けられ、前記第１の脚部に向かって張り出すと共に、前記第１の筒状部材に着脱自在に係合する第２の筒状部材と、前記第１の筒状部材に前記第２の筒状部材を係合させて、前記第１の筒状部材及び前記第２の筒状部材の外側で前記付箋紙を支持し、前記第１の筒状部材及び前記第２の筒状部材の内側の空所に小物を収納する収納部とするものである。
【０００５】
また、請求項２記載の付箋紙保持装置は、請求項１記載の付箋紙保持装置において、第１の脚部の立設面に平坦な平坦面が、第２の脚部の立設面に平坦な平坦面が、それぞれ形成され、前記第１の脚部又は前記第２の脚部の平坦面に１ヶ月又は複数月の暦が印刷されたシート状部材が貼り付けられ、収納部には、未使用の複数枚の１ヶ月又は複数月の暦が印刷されたシート状部材が収納されているものである。
【０００６】
また、請求項３記載の付箋紙保持装置は、請求項１記載の付箋紙保持装置において、  第１の脚部の立設面に平坦な平坦面が、第２の脚部の立設面に平坦な平坦面が、それぞれ形成され、前記第１の脚部又は前記第２の脚部の平坦面に暦、時刻表、電話番号の内の何れか一つを記載した表示物が取り付けられているものである。
【０００７】
また、請求項４記載の付箋紙保持装置は、請求項１記載の付箋紙保持装置において、第１の脚部に取り付けられると共に、前記第１の脚部から第２の脚部に向かうように設けられ、端部が前記第２の脚部に当接し、最下縁部が全幅に亘って鋭利に形成された切断部と、前記第１の脚部又は前記第２の脚部に取り付けられ、前記切断部より上にあって、付箋紙を前記切断部に案内する案内部材とを備えているものである。
【考案の効果】
【０００８】
請求項１記載の付箋紙保持装置によれば、第１の筒状部材に第２の筒状部材を係合させて、前記第１の筒状部材及び前記第２の筒状部材の外側で付箋紙を支持することができ、しかも、前記第１の筒状部材と前記第２の筒状部材は、分離可能であるため、中空部を有するように筒状に巻かれた前記付箋紙の脱着が容易で、更に、前記第１の筒状部材及び前記第２の筒状部材の内側の空所を収納部とし、小物を収納する機能をも付加することができる。
【０００９】
また、請求項２記載の付箋紙保持装置によれば、上述した請求項１記載の考案の効果に加え、第１の脚部又は第２の脚部の平坦面に１ヶ月又は複数月の暦が印刷されたシート状部材が貼り付けられ、収納部には、未使用の複数枚の１ヶ月又は複数月の暦が印刷されたシート状部材が収納されているため、暦という新たな機能を付加することができる。
【００１０】
また、請求項３記載の付箋紙保持装置によれば、上述した請求項１記載の考案の効果に加え、平坦面に暦、時刻表、電話番号の内の何れか一つを記載した表示物が取り付けられているため、平坦面に新たな機能を付加することができる。
【００１１】
また、請求項４記載の付箋紙保持装置によれば、上述した請求項１記載の考案の効果に加え、切断部に切断したい付箋紙の部位を当て、該付箋紙の端部を引っ張ることにより、付箋紙を容易に切断することができ、該切断部は、第１の脚部から第２の脚部に亘って設けられているため、構造体としての機能を有しているため、付箋紙保持装置を補強することができる。
【考案を実施するための最良の形態】
【００１２】
本考案の一実施例の付箋紙保持装置を図面を参照して説明する。
図１及び図２において、Ｓは付箋紙保持装置で、付箋紙保持装置Ｓは、中空部を有するように筒状に巻かれた付箋紙Ｒを保持する機能と、使用したい長さで付箋紙Ｒを切断することができる機能とを備えている。
【００１３】
付箋紙保持装置Ｓは、一方の側に立設する第１の脚部１が、他方の側に立設する第２の脚部２が、それぞれ位置している。第１の脚部１と第２の脚部２とは、対向して設けられている。
そして、第１の脚部１の立設面に平坦な平坦面１ａが、また、第２の脚部２の立設面に平坦な平坦面２ａが、それぞれ形成され、平坦面１ａに、小物３、例えば、複数月の暦が印刷されたシート状部材が貼り付けられている[図１及び図１２(ａ)参照]。
【００１４】
４は第１の筒状部材で、第１の筒状部材４は、第１の脚部１に取り付けられ、第２の脚部２へ向かって張り出している。５は、第１の筒状部材４に着脱自在に係合する第２の筒状部材で、第２の筒状部材５は、第２の脚部２に取り付けられ、第１の脚部１へ向かって張り出している。係合する部位は、第１の筒状部材４の端部が、第２の筒状部材５の肉厚分低くなった段差部４１(図２及び図４参照)となっている。
この段差部４１を介して第１の筒状部材４に第２の筒状部材５を係合させて(図３参照)、第１の筒状部材４及び第２の筒状部材５の外側で付箋紙Ｒを支持するようにしている。  
【００１５】
また、第１の筒状部材４及び第２の筒状部材５の内側の空所に小物３を収納する収納部６を形成している。特に、例えば、図１の付箋紙保持装置Ｓの第１の脚部１を右手で、第２の脚部２を左手で、互いが離れるように引っ張ることにより、第１の筒状部材１と第２の筒状部材２との係合状態を解除して、図２に記載のように、分離することができる。分離した状態においては、付箋紙Ｒと小物３の出し入れを容易に行うことができる。
収納部６内に収納される小物３は、複数枚の未使用の１ヶ月又は複数月の暦が印刷されたシート状部材である。
なお、上述の実施例にあっては、平坦面１ａに、複数月の暦が印刷されたシート状部材を貼り付け[図１及び図１２(ａ)参照]たが、本願考案にあっては、これに限らず、図１２（ｂ）に示すような時刻表、図１２（ｃ）（ｄ）に示すような電話番号を記載した表示物を貼り付けるようにしても良い。
【００１６】
また、上述の実施例にあっては、収納部６に複数枚の未使用の１ヶ月又は複数月の暦が印刷されたシート状部材３を収納するようにしたが、本願考案にあっては、これに限らず、図１２（ｂ）に示すような時刻表、図１２（ｃ）（ｄ）に示すような電話番号を記載した表示物、図示しない紙幣、印鑑等を収納するようにしても良い。
【００１７】
また、図３及び図７に示す７は、最下縁部７ａが全幅に亘って鋭利に形成された切断部で、断部部７は、第１の脚部４に取り付けられると共に、第１の脚部４から第２の脚部５に向かうように設けられ、端部７ｂが第２の脚部５に当接するようになっている。
また、８は、第１の脚部４に取り付けられ、切断部７より上にあって、付箋紙Ｒを切断部７に案内する案内部材で、９は、第２の脚部５に取り付けられ、切断部７より上にあって、付箋紙Ｒを切断部７に案内する案内部材である。
案内部材８、９を介して付箋紙Ｒを切断部７に導き(図８参照)、切断部７の最下縁部７ａに切断したい付箋紙Ｒの部位を当て、該付箋紙Ｒの端部を図９に示す矢印方向へ引っ  張ることにより、付箋紙Ｒを容易に切断することができる。なお、切断部７は、第１の脚部４から第２の脚部５に亘って設けられているため(図３参照)、構造体としての機能を有しているため、付箋紙保持装置Ｓを補強することができる。
【００１８】
従って、上述した付箋紙保持装置Ｓによれば、第１の筒状部材４に第２の筒状部材５を係合させて、第１の筒状部材４及び第２の筒状部材５の外側で付箋紙Ｒを支持することができ、しかも、第１の筒状部材４と第２の筒状部材５は、分離可能であるため、中空部を有するように筒状に巻かれた付箋紙Ｒの脱着が容易で、更に、第１の筒状部材４及び第２の筒状部材５の内側の空所を収納部６とし、小物３を収納する機能をも付加することができる等の効果を有する。
【図面の簡単な説明】
【００１９】
【図１】図１は、本考案の一実施例の付箋紙保持装置の概略的斜視図である。
【図２】図２は、図１の付箋紙保持装置を分解して示す概略的分解斜視図である。
【図３】図３は、図１の付箋紙保持装置の概略的断面図である。
【図４】図４は、図１の第１の筒状部材と第２の筒状部材とが係合する前の状態を示す概略的断面図である。
【図５】図５は、図３の５−５線による概略的断面図である。
【図６】図６は、図５の切断部が第２の脚部に係合する前の状態を示す概略的断面図である。
【図７】図７は、図３の７−７線による概略的断面図である。
【図８】図８は、図７の付箋紙保持装置の切断部に付箋紙が導かれている状態の概略的断面図である。
【図９】図９は、図８の付箋紙が折り返されて切断される過程の概略的断面図である。
【図１０】図１０（ａ）（ｂ）（ｃ）は、図１の付箋紙保持装置の収納部に収納されるシート状部材（小物）の収納過程を示す概略的図で、図１０（ａ）は、シート状部材（小物）が複数枚ある状態を、図１０（ｂ）は、シート状部材（小物）が積層された状態を、図１０（ｃ）は、シート状部材（小物）が収納部に収納される状態を、それぞれ示している。
【図１１】図１１は、第１の脚部の平坦面にシート状部材が貼られる状態を示す概略的斜視図である。
【図１２】図１２（ａ）（ｂ）（ｃ）（ｄ）は、シート状部材の例を示す概略的図である。
【符号の説明】
【００２０】
Ｓ     …付箋紙保持装置
Ｒ     …付箋紙
１     …第１の脚部
２     …第２の脚部
３     …小物
４     …第１の筒状部材
５     …第２の筒状部材
【図１】
0003149841.tif 000003
【図２】
0003149841.tif 000004
【図３】
0003149841.tif 000005
【図４】
0003149841.tif 000006
【図５】
0003149841.tif 000007
【図６】
0003149841.tif 000008
【図７】
0003149841.tif 000009
【図８】
0003149841.tif 000010
【図９】
0003149841.tif 000011
【図１０】
0003149841.tif 000012
【図１１】
0003149841.tif 000013
【図１２】
0003149841.tif 000014